(57)【要約】【課題】ドアの取っ手等に手を触れずに、その取っ手等を操作できる操作具を提供する。【解決手段】操作具１０は、ドアの取っ手、操作ボタン又はスイッチ類に手を触れずに操作可能な操作具本体１３と、この操作具本体をスマートフォン１４の裏面に回動可能又は直線往復動可能に取付けるための取付機構１６とを備える。操作具本体は、ドアの取っ手を引く方向に操作するためのドア用フック部１３ａと、操作ボタン又はスイッチ類を操作するための突起部１３ｂと、ドア用フック部の先端面と突起部との間に形成されドアの取っ手を押す方向に操作するためのドア用凹部１３ｃと、スマートフォンの裏面に取付機構を介して回動可能又は直線往復動可能に取付けられる基部１３ｄとを有する。操作具本体が取付機構によりスマートフォンの裏面から突出する突出位置とスマートフォンの裏面に沿って収納される収納位置とに切替え可能に構成される。【選択図】図１
0003227521.tif 000002
【実用新案登録請求の範囲】
【請求項１】
ドアの取っ手、操作ボタン又はスイッチ類に手を触れずに操作可能な操作具本体と、前記操作具本体をスマートフォンの裏面に回動可能又は直線往復動可能に取付けるための取付機構とを備えた、手を触れずに操作可能な操作具であって、
前記操作具本体が、前記ドアの取っ手に手を触れずに前記ドアの取っ手を引く方向に操作するためのドア用フック部と、前記操作ボタン又は前記スイッチ類に手を触れずに前記操作ボタン又は前記スイッチ類を操作するための突起部と、前記ドア用フック部の先端面と前記突起部との間に形成され前記ドアの取っ手に手を触れずに前記ドアの取っ手を押す方向に操作するためのドア用凹部と、前記スマートフォンの裏面に前記取付機構を介して回動可能又は直線往復動可能に取付けられる基部とを有し、
前記操作具本体が前記取付機構により前記スマートフォンの裏面から突出する突出位置と前記スマートフォンの裏面に沿って収納される収納位置とに切替え可能に構成されたことを特徴とする操作具。
【請求項２】
前記操作具本体が前記スマートフォンの裏面に前記取付機構を介して前記スマートフォンの裏面に対し直交する面内で回動可能に取付けられることにより、前記操作具本体が前記突出位置と前記収納位置に切替え可能に構成されるとともに、前記操作具本体を前記突出位置と前記収納位置との間の任意の中間位置で停止するように構成された請求項１記載の操作具。
【請求項３】
前記取付機構が、前記スマートフォンの裏面に貼付されたベース部と、このベース部と一体的に形成され前記基部を挿入可能に前記ベース部に立設された一対の起立片と、前記一対の起立片の間に前記基部を挿入した状態で前記一対の起立片及び前記基部に圧入して挿通されるピン軸とを有する請求項２記載の操作具。
【請求項４】
前記操作具本体のうち前記ドア用フック部と前記基部との間に指を挿入可能な指挿入孔が形成され、前記ベース部上に台状部及び係止片が突設され、前記操作具本体を前記収納位置に切替えたときに、前記指挿入孔が前記台状部に遊嵌されるとともに、前記指挿入孔の縁が前記係止片に係止するように構成された請求項３記載の操作具。
【請求項５】
前記操作具本体が前記スマートフォンの裏面に前記取付機構を介して前記スマートフォンの裏面に対し平行な面内で回動可能に取付けられることにより、前記操作具本体が前記突出位置と前記収納位置に切替え可能に構成された請求項１記載の操作具。
【請求項６】
前記基部に、円形孔と、この円形孔の内周面の一部に突設された係止突起と、前記円形孔より大径の円形凹部とが形成され、
前記取付機構が、前記スマートフォンの裏面に貼付されたベース部と、このベース部と一体的に形成され前記円形孔が嵌入可能な円板部と、前記円板部の外周縁の全周の略半分にわたって形成され前記係止突起が回動可能に収容される円弧状凹部と、前記ベース部及び前記円板部の中心に形成された雌ねじ部と、前記円形凹部に収容され中心に座ぐり孔が形成された押え板と、前記雌ねじ部に螺合可能な雄ねじ部と前記座ぐり孔に挿入可能な頭部とからなるビスとを有する請求項５記載の操作具。
【請求項７】
前記操作具本体のうち前記ドア用フック部と前記基部との間に指を挿入可能な指挿入孔が形成された請求項５又は６記載の操作具。
【請求項８】
前記操作具本体が前記スマートフォンの裏面に前記取付機構を介して前記スマートフォンの裏面に対し平行な面内で直線往復動可能に取付けられることにより、前記操作具本体が前記突出位置と前記収納位置に切替え可能に構成された請求項１記載の操作具。
【請求項９】
前記基部が前記スマートフォンの長手方向に延びる帯板状に形成され、前記基部にこの基部の長手方向に所定長だけ延びる凹溝が形成され、
前記取付機構が、前記スマートフォンの裏面に貼付されかつ前記スマートフォンの長手方向に延びるベース部と、このベース部の両側縁から突設され前記基部の両側縁を直線往復動可能に保持する一対の基部保持片と、前記ベース部に突設され前記凹溝が直線往復動可能に嵌入されるストッパピンとを有する請求項８記載の操作具。
【請求項１０】
前記操作具本体が樹脂製の板により形成され、前記突起部が導電性を有するキャップ状に形成され、この突起部が前記操作具本体の先端部に取付けられた請求項１ないし９いずれか１項に記載の操作具。
【考案の詳細な説明】
【技術分野】
【０００１】
本考案は、ドアの取っ手、操作ボタン又はスイッチ類に手を触れずに、ドアの取っ手、操作ボタン又はスイッチ類を操作できる操作具に関するものである。
【背景技術】
【０００２】
従来、はね丸め特性を有するスチール入りの帯体の中心部に吸盤が取付けられてスタンド体が形成され、このスタンド体を平面形に展開して中心部がスマートフォンの裏面に吸着され、スチールのはね丸め特性でスタンド体の両翼を外側に丸く曲げることによりスタンド脚が形成され、スマートフォンを見易い傾斜角に立てるように構成されたスマートフォンスタンドが開示されている（例えば、特許文献１（請求項１、段落［０００５］〜段落［０００８］、段落［００１５］、図１〜図４）参照。）。このスマートフォンスタンドにおいて、はね丸め特性を有すスチールとは、幅方向に反りを設けて、反ったときに平面形に伸びた展開状態になり、押すなどして反りを解除すると弾性により瞬時に丸く曲がる特性を有するスチールをいう。
【０００３】
このように構成されたスマートフォンスタンドは、平面形の帯体によって構成されるために嵩ばらないので、スマートフォンに取付けたまま携帯することができる。また、スチールがはね丸め特性を有するので、ワンタッチかつ瞬時に丸くなってスタンド脚を構成することができる。これにより、スマートフォンを見易い傾斜角に安定した状態で立てることができる。
【先行技術文献】
【特許文献】
【０００４】
【特許文献１】特開２０１６−１３１３０７号公報
【考案の概要】
【考案が解決しようとする課題】
【０００５】
近年、感染症（例えば、新型コロナウィルス肺炎のCOVID-19）が大流行しており、他人が触れたドアの取っ手、操作ボタン又はスイッチ類に直接手を触れて操作すると、ドアの取っ手等に付着した感染症のウィルスを操作者自身の手に付着させて、操作者が感染症にかかるおそれがあった。上記特許文献１に示されたスマートフォンスタンドは、スマートフォンを見易い傾斜角に立てることができるけれども、ドアの取っ手、操作ボタン又はスイッチ類に手を触れずに、スチール入りの帯体でドアの取っ手、操作ボタン又はスイッチ類を操作することは難しく感染症のウィルスを取込むおそれがあった。また、上記特許文献１に示されたスマートフォンスタンドでは、スマートフォン傾斜角が一定であり、変更できない問題点もあった。
【０００６】
本考案の第１の目的は、操作具本体を突出位置に切替えたときに、ドアの取っ手、操作ボタン又はスイッチ類に手を触れずに、ドアの取っ手、操作ボタン又はスイッチ類を操作できる、操作具を提供することにある。本考案の第２の目的は、操作具本体を収納位置に切替えたときに、操作具本体がスマートフォンの使用に支障をきたすことがなく、コンパクトになり、操作具をスマートフォンとともにポケットやバッグにスムーズに収納できる、操作具を提供することにある。本考案の第３の目的は、操作具本体を突出位置と収納位置の間の任意の位置に停止させることにより、操作具本体をスマートフォンのスタンドとして使用でき、スマートフォンの傾斜角度を所望の角度に変更できる、操作具を提供することにある。本考案の第４の目的は、操作具本体を突出位置に切替えたときに、指挿入孔に人差し指等の指を挿入し、この指に力を入れてドアの取っ手等を操作することにより、取付機構のベース部をスマートフォンの裏面に貼付した部分に力が殆ど作用せず、取付機構のベース部がスマートフォンの裏面から剥がれるのを防止できる、操作具を提供することにある。本考案の第５の目的は、操作具本体を収納位置に切替えたときに、指挿入孔が台状部により埋められることにより、操作具本体の表面の凹みを低減でき、スマートフォンの裏面の凹凸が減少して持ち易くなる、操作具を提供することにある。本考案の第６の目的は、操作具本体を収納位置に切替えたときに、指挿入孔の縁が係止片に係止することにより、操作具本体が意図せずに収納位置から突出位置に切替わるのを防止できる、操作具を提供することにある。本考案の第７の目的は、樹脂製の操作具本体の先端部に、導電性を有するキャップ状の突起部を取付けて、この突起部をタッチパネル式のＡＴＭ（現金自動預け払い機）や各種販売機等の操作ボタンに接触させることにより、手を触れずにタッチパネル式の操作ボタンを操作できる、操作具を提供することにある。
【課題を解決するための手段】
【０００７】
本考案の第１の観点は、図１、図２、図４及び図５に示すように、ドア１１の取っ手１１ａ、操作ボタン１２又はスイッチ類に手を触れずに操作可能な操作具本体１３と、この操作具本体１３をスマートフォン１４の裏面に回動可能又は直線往復動可能に取付けるための取付機構１６とを備えた、手を触れずに操作可能な操作具１０であって、操作具本体１３が、ドア１１の取っ手１１ａに手を触れずにドア１１の取っ手１１ａを引く方向に操作するためのドア用フック部１３ａと、操作ボタン１２又はスイッチ類に手を触れずに操作ボタン１２又はスイッチ類を操作するための突起部１３ｂと、ドア用フック部１３ａの先端面と突起部１３ｂとの間に形成されドア１１の取っ手１１ａに手を触れずにドア１１の取っ手１１ａを押す方向に操作するためのドア用凹部１３ｃと、スマートフォン１４の裏面に取付機構１６を介して回動可能又は直線往復動可能に取付けられる基部１３ｄとを有し、操作具本体１３が取付機構１６によりスマートフォン１４の裏面から突出する突出位置とスマートフォン１４の裏面に沿って収納される収納位置とに切替え可能に構成されたことを特徴とする。
【０００８】
本考案の第２の観点は、第１の観点に基づく考案であって、更に図１、図２及び図５に示すように、操作具本体１３がスマートフォン１４の裏面に取付機構１６を介してスマートフォン１４の裏面に対し直交する面内で回動可能に取付けられることにより、操作具本体１３が突出位置と収納位置に切替え可能に構成されるとともに、操作具本体１３を突出位置と収納位置との間の任意の中間位置で停止するように構成されたことを特徴とする。
【０００９】
本考案の第３の観点は、第２の観点に基づく考案であって、更に図１及び図２に示すように、取付機構１６が、スマートフォン１４の裏面に貼付されたベース部１６ａと、このベース部１６ａと一体的に形成され基部１３ｄを挿入可能にベース部１６ａに立設された一対の起立片１６ｂ，１６ｂと、一対の起立片１６ｂ，１６ｂの間に基部１３ｄを挿入した状態で一対の起立片１６ｂ，１６ｂ及び基部１３ｄに圧入して挿通されるピン軸１６ｃとを有することを特徴とする。
【００１０】
本考案の第４の観点は、第３の観点に基づく考案であって、更に図１及び図２に示すように、操作具本体１３のうちドア用フック部１３ａと基部１３ｄとの間に指１８を挿入可能な指挿入孔１３ｈが形成され、ベース部１６ａ上に台状部１６ｅ及び係止片１６ｆが突設され、操作具本体１３を収納位置に切替えたときに、指挿入孔１３ｈが台状部１６ｅに遊嵌されるとともに、指挿入孔１３ｈの縁が係止片１６ｆに係止するように構成されたことを特徴とする。
【００１１】
本考案の第５の観点は、第１の観点に基づく考案であって、更に図７及び図８に示すように、操作具本体３３がスマートフォン１４の裏面に取付機構３６を介してスマートフォン１４の裏面に対し平行な面内で回動可能に取付けられることにより、操作具本体３３が突出位置と収納位置に切替え可能に構成されたことを特徴とする。
【００１２】
本考案の第６の観点は、第５の観点に基づく考案であって、更に図７〜図１０に示すように、基部３３ａに、円形孔３３ｂと、この円形孔３３ｂの内周面の一部に突設された係止突起３３ｃと、円形孔３３ｂより大径の円形凹部３３ｄとが形成され、取付機構３６が、スマートフォン１４の裏面に貼付されたベース部３６ａと、このベース部３６ａと一体的に形成され円形孔３３ｂが嵌入可能な円板部３６ｂと、円板部３６ｂの外周縁の全周の略半分にわたって形成され係止突起３３ｃが回動可能に収容される円弧状凹部３６ｃと、ベース部３６ａ及び円板部３６ｂの中心に形成された雌ねじ部３６ｄと、円形凹部３３ｄに収容され中心に座ぐり孔３６ｆが形成された押え板３６ｅと、上記雌ねじ部３６ｄに螺合可能な雄ねじ部３６ｈと上記座ぐり孔３６ｆに挿入可能な頭部３６ｉからなるビス３６ｇとを有することを特徴とする。
【００１３】
本考案の第７の観点は、第５又は第６の観点に基づく考案であって、更に図７及び図８に示すように、操作具本体３３のうちドア用フック部１３ａと基部３３ａとの間に指を挿入可能な指挿入孔１３ｈが形成されたことを特徴とする。
【００１４】
本考案の第８の観点は、第１の観点に基づく考案であって、更に図１１及び図１２に示すように、操作具本体５３がスマートフォン１４の裏面に取付機構５６を介してスマートフォン１４の裏面に対し平行な面内で直線往復動可能に取付けられることにより、操作具本体５３が突出位置と収納位置に切替え可能に構成されたことを特徴とする。
【００１５】
本考案の第９の観点は、第８の観点に基づく考案であって、更に図１１〜図１３に示すように、基部５３ａがスマートフォン１４の長手方向に延びる帯板状に形成され、基部５３ａにこの基部５３ａの長手方向に所定長だけ延びる凹溝５３ｂが形成され、取付機構５６が、スマートフォン１４の裏面に貼付されかつスマートフォン１４の長手方向に延びるベース部５６ａと、このベース部５６ａの両側縁から突設され基部５３ａの両側縁を直線往復動可能に保持する一対の基部保持片５６ｂ，５６ｂと、ベース部５６ａに突設され凹溝５３ｂが直線往復動可能に嵌入されるストッパピン５６ｃとを有することを特徴とする。
【００１６】
本考案の第１０の観点は、第１ないし第９の観点のいずれかに基づく考案であって、更に図１４及び図１５に示すように、操作具本体７３が樹脂製の板により形成され、突起部７３ａが導電性を有するキャップ状に形成され、この突起部７３ａが操作具本体７３の先端部に取付けられたことを特徴とする。
【考案の効果】
【００１７】
本考案の第１の観点の操作具では、操作具本体を取付機構によりスマートフォンの裏面から突出する突出位置とスマートフォンの裏面に沿って収納される収納位置とに切替え可能に構成したので、操作具本体を突出位置に切替えると、ドアの取っ手等に手を触れずに、ドアの取っ手等を操作できる。即ち、操作具本体のドア用フック部をドアの取っ手に引っ掛けてドアの取っ手を引く方向に操作することにより、或いは操作具本体のドア用凹部をドアの取っ手に遊嵌してドアの取っ手を押す方向に操作することにより、ドアの取っ手に手を触れずにドアを開けることができ、操作具本体の突起部を操作ボタン又はスイッチ類に突き当てて操作ボタン又はスイッチ類を操作することにより、操作ボタン等に手を触れずに操作ボタン等を操作できる。この結果、ドアの取っ手等に付着した感染症のウィルスが操作者自身の手に付着することがなく、操作者が感染症にかかるおそれはない。また、操作具本体を収納位置に切替えると、操作具本体がスマートフォンの使用に支障をきたすことがなく、コンパクトになり、操作具をスマートフォンとともにポケットやバッグにスムーズに収納できる。更に、操作具本体を突出位置と収納位置の間の任意の位置に停止させることにより、操作具本体をスマートフォンのスタンドとして使用でき、スマートフォンの傾斜角度を所望の角度に変更できる。
【００１８】
本考案の第２の観点の操作具では、操作具本体をスマートフォンの裏面に取付機構を介してスマートフォンの裏面に対し直交する面内で回動可能に取付けることにより、操作具本体を突出位置と収納位置に切替え可能に構成したので、上記と同様の効果を奏する。
【００１９】
本考案の第３の観点の操作具では、取付機構のベース部をスマートフォンの裏面に貼付し、取付機構の一対の起立片の間に操作具本体の基部を挿入し、更にピン軸を一対の起立片及び基部に圧入して挿通したので、操作具本体がピン軸を中心にスマートフォンの裏面に対し直交する面内で回動し、操作具本体を突出位置と収納位置に切替えることができるとともに、操作具本体を突出位置と収納位置の間の任意の位置に停止させることができる。この結果、上記と同様の効果を奏するとともに、操作具本体を突出位置と収納位置の間の所望の位置に停止させることにより、操作具本体をスマートフォンのスタンドとして利用できる。
【００２０】
本考案の第４の観点の操作具では、操作具本体のうちドア用フック部と基部との間に指を挿入可能な指挿入孔を形成したので、操作具本体を突出位置に切替えたときに、指挿入孔に人差し指等の指を挿入し、この指に力を入れてドアの取っ手等を操作する。この結果、取付機構のベース部をスマートフォンの裏面に貼付した部分に力が殆ど作用しないので、取付機構のベース部がスマートフォンの裏面から剥がれることはない。また、ベース部上に台状部を突設し、操作具本体を収納位置に切替えたときに、指挿入孔が台状部に遊嵌されるので、指挿入孔が台状部により埋められる。この結果、操作具本体の表面の凹みを低減できるので、スマートフォンの裏面の凹凸が減少して持ち易くなる。更に、ベース部上に係止片を突設し、操作具本体を収納位置に切替えたときに、指挿入孔の縁が係止片に係止するので、操作具本体が意図せずに収納位置から突出位置に切替わることがない。
【００２１】
本考案の第５の観点の操作具では、操作具本体をスマートフォンの裏面に取付機構を介してスマートフォンの裏面に対し平行な面内で回動可能に取付けることにより、操作具本体を突出位置と収納位置に切替え可能に構成したので、操作具本体を突出位置に切替えると、ドアの取っ手等に手を触れずに、ドアの取っ手等を操作できる。この結果、ドアの取っ手等に付着した感染症のウィルスが操作者自身の手に付着することがなく、操作者が感染症にかかるおそれはない。また、操作具本体を収納位置に切替えると、操作具本体がスマートフォンの使用に支障をきたすことがなく、コンパクトになり、操作具をスマートフォンとともにポケットやバッグにスムーズに収納できる。
【００２２】
本考案の第６の観点の操作具では、取付機構のベース部をスマートフォンの裏面に貼付し、取付機構の円板部に操作具本体の基部の円形孔を嵌入するとともに、取付機構の円弧状凹部に操作具本体の基部の係止突起を収容し、取付機構の押え板を操作具本体の基部の円形凹部に収容し、更にビスの雄ねじ部をベース部及び円板部の雌ねじ部に螺合して、ビスの頭部を押え板の座ぐり孔に挿入したので、係止突起が円弧状凹部内を移動できる範囲内で、操作具本体が取付機構の円板部を中心に回動する。即ち、操作具本体は、取付機構の円板部を中心にスマートフォンの裏面に対し平行な面内で回動する。この結果、操作具本体を突出位置と収納位置に切替えることができるので、上記と同様の効果を奏する。
【００２３】
本考案の第７の観点の操作具では、操作具本体のうちドア用フック部と基部との間に指を挿入可能な指挿入孔を形成したので、操作具本体を突出位置に切替えたときに、指挿入孔に人差し指等の指を挿入し、この指に力を入れてドアの取っ手等を操作する。この結果、取付機構のベース部をスマートフォンの裏面に貼付した部分に力が殆ど作用しないので、取付機構のベース部がスマートフォンの裏面から剥がれることはない。
【００２４】
本考案の第８の観点の操作具では、操作具本体をスマートフォンの裏面に取付機構を介してスマートフォンの裏面に対し平行な面内で直線往復動可能に取付けることにより、操作具本体を突出位置と収納位置に切替え可能に構成したので、操作具本体を突出位置に切替えると、ドアの取っ手等に手を触れずに、ドアの取っ手等を操作できる。この結果、ドアの取っ手等に付着した感染症のウィルスが操作者自身の手に付着することがなく、操作者が感染症にかかるおそれはない。また、操作具本体を収納位置に切替えると、操作具本体がスマートフォンの使用に支障をきたすことがなく、コンパクトになり、操作具をスマートフォンとともにポケットやバッグにスムーズに収納できる。
【００２５】
本考案の第９の観点の操作具では、取付機構のベース部をスマートフォンの裏面に貼付し、取付機構の一対の基部保持片が操作具本体の帯板状の基部を直線往復動可能に保持し、更に取付機構のベースのストッパピンに基部の所定長の凹溝を直線往復動可能に嵌入したので、所定長の凹溝がストッパピンに対して移動できる範囲内で、操作具本体が一対の基部保持片に沿って直線往復動する。即ち、操作具本体は、その基部が取付機構の一対の基部保持片に沿って摺動することにより、スマートフォンの裏面に対し平行な面内で直線往復動する。この結果、操作具本体を突出位置と収納位置に切替えることができるので、上記と同様の効果を奏する。
【００２６】
本考案の第１０の観点の操作具では、操作具本体を樹脂製の板により形成し、導電性を有するキャップ状に突起部を形成し、更にこの突起部を操作具本体の先端部に取付けたので、この導電性を有するキャップ状の突起部をタッチパネル式のＡＴＭ（現金自動預け払い機）や各種販売機等のタッチパネル式の操作ボタンに接触させることにより、この操作ボタンを操作できる。この結果、タッチパネル式の操作ボタンに手を触れずに操作ボタンを操作できる。また、操作具本体を樹脂製の板により形成したので、操作具本体を金属製の板により形成した場合と比べて、重量を増加させない。
【図面の簡単な説明】
【００２７】
【図１】（ａ）は本考案第１実施形態の操作具本体が突出位置に切替えられた操作具を含むスマートフォンの背面図であり、（ｂ）はその操作具を含むスマートフォンの側面図である。
【図２】（ａ）は操作具本体が収納位置に切替えられた操作具を含むスマートフォンの背面図であり、（ｂ）はその操作具を含むスマートフォンの側面図である。
【図３】（ａ）は図１（ｂ）のＡ部拡大断面図であり、（ｂ）は図２（ｂ）のＢ部拡大断面図である。
【図４】（ａ）は操作具本体のドア用フック部をドアの取っ手に引っ掛けてドアの取っ手を引く方向に操作している状態を示す図１（ａ）に対応する図であり、（ｂ）は操作具本体のドア用凹部をドアの取っ手に遊嵌してドアの取っ手を押す方向に操作している状態を示す図１（ａ）に対応する図である。
【図５】その操作具本体の突起部を操作ボタンに突き当てて操作ボタンを操作している状態を示す図１（ａ）に対応する図である。
【図６】その操作具本体を任意の中間位置に停止させて操作具をスマートフォンのスタンドとして使用している状態を示す側面図である。
【図７】（ａ）は本考案第２実施形態の操作具本体が突出位置に切替えられた操作具を含むスマートフォンの背面図であり、（ｂ）はその操作具を含むスマートフォンの側面図である。
【図８】（ａ）は操作具本体が収納位置に切替えられた操作具を含むスマートフォンの背面図であり、（ｂ）はその操作具を含むスマートフォンの側面図である。
【図９】（ａ）は図７（ａ）のＣ−Ｃ線断面図であり、（ｂ）は図８（ａ）のＤ−Ｄ線断面図である。
【図１０】（ａ）は図９（ａ）のＥ−Ｅ線断面図であり、（ｂ）は図９（ｂ）のＦ−Ｆ線断面図である。
【図１１】（ａ）は本考案第３実施形態の操作具本体が突出位置に切替えられた操作具を含むスマートフォンの背面図であり、（ｂ）はその操作具を含むスマートフォンの側面図である。
【図１２】（ａ）は操作具本体が収納位置に切替えられた操作具を含むスマートフォンの背面図であり、（ｂ）はその操作具を含むスマートフォンの側面図である。
【図１３】図１２（ａ）のＩ−Ｉ線断面図である。
【図１４】（ａ）は本考案第４実施形態の操作具の導電性のキャップにより形成された突起部を操作具本体に取付ける直前の状態を示す図１（ａ）に対応する図であり、（ｂ）はその突起部を操作具本体に取付けた状態を示す図１（ａ）に対応する図である。
【図１５】（ａ）は図１４（ａ）のキャップ状の突起部を破断したＪ部拡大図であり、（ｂ）は図１４（ｂ）のキャップ状の突起部を破断したＫ部拡大図である。
【考案を実施するための形態】
【００２８】
次に本考案を実施するための形態を図面に基づいて説明する。
【００２９】
＜第１の実施の形態＞
図１、図４及び図５に示すように、本考案の手を触れずに操作可能な操作具１０は、ドア１１の取っ手１１ａ，１１ｂ（図４（ａ），図４（ｂ））又は操作ボタン１２（図５）に手を触れずに操作可能な操作具本体１３と、この操作具本体１３をスマートフォン１４の裏面に取付けるための取付機構１６とを備える。操作具本体１３は、この実施の形態では、ポリカーボネートやＡＢＳ（Acrylonitrile Butadiene Styrene：アクリロニトリル・ブタジエン・スチレン共重合合成樹脂）等の板により形成される。これらの樹脂製の板は金属製の板と比べて軽量であるため、スマートフォンに取付けても、スマートフォンの重量を大きくしない。また、操作具本体１３は、ドア１１の取っ手１１ａ（図４（ａ））に手を触れずにドア１１の取っ手１１ａを引く方向に操作するためのドア用フック部１３ａと、操作ボタン１２（図５）に手を触れずに操作ボタン１２を操作するための突起部１３ｂと、ドア１１の取っ手１１ｂ（図４（ｂ））に手を触れずにドア１１の取っ手１１ｂを押す方向に操作するためのドア用凹部１３ｃと、スマートフォン１４の裏面に取付機構１６を介して回動可能に取付けられる基部１３ｄとを有する（図１（ａ））。
【００３０】
ドア用フック部１３ａは、操作具本体１３の長手方向の中央から先端にかけて直線状に延び比較的幅の狭い直線板部１３ｅの先端からなだらかに湾曲して形成される（図１（ａ））。即ち、ドア用フック部１３ａは直線板部１３ｅとともに略逆Ｊ字状に形成される。また、突起部１３ｂは直線板部１３ｅの先端に先細りに形成され、ドア用凹部１３ｃはドア用フック部１３ａの先端面と突起部１３ｂとの間に直線板部１３ｅ側になだらかに凹んで形成される。基部１３ｄの幅は、直線板部１３ｅ及びドア用フック部１３ａを含む幅の略半分の幅に形成される。更に、基部１３ｄと直線板部１３ｅとの間には、直線板部１３ｅ及びドア用フック部１３ａを含む幅と略同一の幅を有する幅広板部１３ｆが設けられる。
【００３１】
一方、取付機構１６は、この実施の形態では、操作具本体１３をスマートフォン１４の裏面に対し直交する面内で回動可能に取付けるために設けられる（図１及び図２）。この取付機構１６は、スマートフォン１４の裏面に貼付されたベース部１６ａと、このベース部１６ａと一体的に形成され基部１３ｄを挿入可能に立設された一対の起立片１６ｂ，１６ｂと、一対の起立片１６ｂ，１６ｂの間に基部１３ｄを挿入した状態で一対の起立片１３ｂ，１３ｂ及び基部１３ｄに挿通されるピン軸１６ｃとを有する。ベース部１６ａは、操作具本体１３の幅と同一の幅を有する縦長の長方形板状に形成され、両面粘着シート１７（図１（ｂ），図２（ｂ））を介してスマートフォン１４の裏面に縦長に貼付される。また、一対の起立片１６ｂ，１６ｂは、ベース部１６ａの上部に位置しかつベース部１６ａの両側縁に沿うようにそれぞれ立設される。更に、ピン軸１６ｃは、一対の起立片１６ｂ，１６ｂにそれぞれ形成された一対の通孔１６ｄ，１６ｄと、基部１３ｄにその幅方向に延びて形成された単一の透孔１３ｇに挿通される。ピン軸１６ｃの直径は、通孔１６ｄ及び透孔１３ｇの直径より僅かに大きく形成され、ピン軸１６ｃは一対の通孔１６ｄ，１６ｄと単一の透孔１３ｇに圧入される。これにより、操作具本体１３がピン軸１６ｃを中心に回動して突出位置と収納位置に切替え可能に構成される。また、操作具本体１３を突出位置と収納位置との間の任意の中間位置で停止するように構成される。具体的には、操作具本体１３をピン軸１６ｃを中心にスマートフォン１４の裏面に対し直交する面内で回動させるときに、比較的大きな摺動抵抗が発生し、操作具本体１３を任意の中間位置で停止させることができるようになっている。
【００３２】
一方、操作具本体１３のうちドア用フック部１３ａと基部１３ｂとの間の幅広板部１３ｆには、指１８を挿入可能な指挿入孔１３ｈが形成される（図１（ａ）及び図２（ａ））。この指挿入孔１３ｈは、操作具本体１３の幅方向に延びる略四角形状に形成される。また、取付機構１６のベース部１６ａの下部には台状部１６ｅが突設され、ベース部１６ａの下端縁には係止片１６ｆが突設される（図１〜図３）。台状部１６ｅは指挿入孔１３ｈに相応する略四角形状であって指挿入孔１３ｈより小さく形成される。更に、係止片１６ｆは、ベース部１６ａの下端縁から立設された弾性変形部１６ｇと、この弾性変形部１６ｇの先端に一対の起立片１６ｂ，１６ｂから離れる方向に突設された係止部１６ｈとを有する（図３）。そして、操作具本体１３を収納位置に切替えたときに、指挿入孔１３ｈが台状部１６ｅに遊嵌されるとともに、指挿入孔１３ｈの縁が係止片１６ｆの係止部１６ｈに係止するように構成される。
【００３３】
このように構成された操作具１０の使用方法を説明する。
（１）  操作具本体１３でドア１１の取っ手１１ａを引く方向に操作する場合（図４（ａ））
先ず、操作具本体１３を取付機構１６のピン軸１６ｃを中心にスマートフォン１４の裏面に対し直交する面内で回転させてスマートフォン１４の裏面から突出する突出位置に切替える。次に、操作具本体１３のドア用フック部１３ａをドア１１の取っ手１１ａに引っ掛ける。この状態で、操作具本体１３の指挿入孔１３ｈに人差し指１８ａを挿入し、この人差し指１８ａに力を入れてドア１１の取っ手１１ａを引く方向に操作する。これによりドア１１の取っ手１１ａに手を触れずにドア１１を開くことができる。この結果、ドアの取っ手１１に付着した感染症のウィルスが操作者自身の手に付着することがなく、操作者が感染症にかかるおそれはない。また、操作具本体１３の指挿入孔１３ｈに挿入した人差し指１８ａに力を入れてドア１１の取っ手１１ａを引く方向に操作したので、取付機構１６のベース部１６ａをスマートフォン１４の裏面に貼付した部分、即ち両面粘着シート１７に力が殆ど作用しない。この結果、取付機構１６のベース部１６ａがスマートフォン１４の裏面から剥がれることはない。
【００３４】
（２）  操作具本体１３でドア１１の取っ手１１ｂを押す方向に操作する場合（図４（ｂ））
先ず、上記と同様に、操作具本体１３を取付機構１６のピン軸１６ｃを中心にスマートフォン１４の裏面に対し直交する面内で回転させてスマートフォン１４の裏面から突出する突出位置に切替える。次に、操作具本体１３のドア用凹部１６ｃをドア１１の取っ手１１ｂに遊嵌する。この状態で、操作具本体１３の指挿入孔１３ｈに人差し指１８ａを挿入し、人差し指１８ａの腹部分及び手のひらで取付機構１６のベース板１６ａをスマートフォン１４に押付けるようにスマートフォン１４を握って、ドア１１の取っ手１１ｂを押す方向に操作する。これによりドア１１の取っ手１１ｂに手を触れずにドア１１を開くことができる。この結果、ドアの取っ手１１に付着した感染症のウィルスが操作者自身の手に付着することがなく、操作者が感染症にかかるおそれはない。また、人差し指１８ａの腹部分及び手のひらで取付機構１６のベース板１６ａをスマートフォン１４に押付けるようにスマートフォン１４を握って、ドア１１の取っ手１１ｂを押す方向に操作したので、取付機構１６のベース部１６ａがスマートフォン１４の裏面から剥がれるのを防止できる。
【００３５】
（３）  操作具本体１３で操作ボタン１２を操作する場合（図５）
先ず、上記と同様に、操作具本体１３を取付機構１６のピン軸１６ｃを中心にスマートフォン１４の裏面に対し直交する面内で回転させてスマートフォン１４の裏面から突出する突出位置に切替える。次に、操作具本体１３の突起部１３ｂを操作ボタン１２に突き当てる。この状態で、操作具本体１３の指挿入孔１３ｈに人差し指１８ａを挿入し、人差し指１８ａの腹部分及び手のひらで取付機構１６のベース板１６ａをスマートフォン１４に押付けるようにスマートフォン１４を握って、操作ボタン１２を押す方向に操作する。これにより操作ボタン１２に手を触れずに操作ボタン１２を操作できる。この結果、操作ボタン１２に付着した感染症のウィルスが操作者自身の手に付着することがなく、操作者が感染症にかかるおそれはない。また、人差し指１８ａの腹部分及び手のひらで取付機構１６のベース板１６ａをスマートフォン１４に押付けるようにスマートフォン１４を握って、操作ボタン１２を押す方向に操作したので、取付機構１６のベース部１６ａがスマートフォン１４の裏面から剥がれるのを防止できる。
【００３６】
（４）  操作具本体１３を使用しない場合（図２）
操作具本体１３を取付機構１６のピン軸１６ｃを中心にスマートフォン１４の裏面に対し直交する面内で回転させてスマートフォン１４の裏面に沿って収納される収納位置に切替える。これにより、操作具本体１３がスマートフォン１４の使用に支障をきたすことがなく、コンパクトになり、操作具１０をスマートフォン１４とともにポケットやバッグにスムーズに収納できる。また、操作具本体１３を収納位置に切替えたときに、指挿入孔１３ｈが台状部１６ｅに遊嵌されるので、指挿入孔１３ｈが台状部１６ｅにより埋められる。この結果、操作具本体１３の表面の凹みを低減できるので、スマートフォン１４の裏面の凹凸が減少して持ち易くなる。更に、操作具本体１３を収納位置に切替えたときに、指挿入孔１３ｈの縁が係止片１６ｆに係止するので、操作具本体１３が意図せずに収納位置から突出位置に切替わることがない。
【００３７】
（５）  操作具本体１３をスマートフォン１４のスタンドとして使用する場合（図６）
操作具本体１３を取付機構１６のピン軸１６ｃを中心にスマートフォン１４の裏面に対し直交する面内で回転させて突出位置と収納位置の間の任意の中間位置（所望の中間位置）に停止させる。このとき、ピン軸１６ｃの直径が通孔１６ｄ及び透孔１３ｇの直径より僅かに大きく形成され、ピン軸１６ｃが一対の通孔１６ｄ，１６ｄと単一の透孔１３ｇに圧入されているので、操作具本体１３を取付機構１６のピン軸１６ｃを中心に回転させたときに比較的大きな摺動抵抗が発生する。この結果、操作具本体１３がスマートフォン１４を安定した状態で任意の角度（所望の角度）に保持できるので、操作具本体１３をスマートフォン１４のスタンドとして使用できる。
【００３８】
＜第２の実施の形態＞
図７〜図１０は本考案の第２の実施の形態を示す。図７〜図１０において図１及び図２と同一符号は同一部品を示す。この実施の形態では、操作具本体３３がスマートフォン１４の裏面に取付機構３６を介してスマートフォン１４の裏面に対し平行な面内で回動可能に取付けられる。これにより、操作具本体３３が突出位置と収納位置に切替え可能に構成される。操作具本体３３は、基部３３ａを除いて、第１の実施の形態の操作具本体と略同一形状に形成される。操作具本体３３の基部３３ａは、その上部が方形状であって下部が半円状である板状に形成される（図７及び図８）。図９及び図１０に詳しく示すように、基部３３ａの中央には円形孔３３ｂが形成される。また、この円形孔３３ｂの内周面の一部には係止突起３３ｃが突設される。更に、基部３３ａの両面のうちスマートフォン１４に対向する面とは反対側の面には、円形孔３３ｂと同心状に円形孔３３ｂより大径の円形凹部３３ｃが形成される。
【００３９】
一方、取付機構３６は、スマートフォン１４の裏面に貼付されたベース部３６ａと、このベース部３６ａと一体的に形成された円板部３６ｂと、円板部３６ｂの外周縁の全周の略半分にわたって形成された円弧状凹部３６ｃと、ベース部３６ａ及び円板部３６ｂの中心に形成された雌ねじ部３６ｄと、中心に座ぐり孔３６ｆが形成された押え板３６ｅと、上記雌ねじ部３６ｄに螺合可能な雄ねじ部３６ｈと上記座ぐり孔３６ｆに挿入可能な頭部３６ｉからなるビス３６ｇとを有する（図９及び図１０）。ベース部３６ａはスマートフォン１４の裏面に両面粘着シート３７を介して貼付され、円板部３６ｂは操作具本体３３の基部３３ａの円形孔３３ｂが嵌入可能に構成される。また、円弧状凹部３６ｃは、その円弧の中心角が１８０度より係止突起３３ｃの幅分だけ大きい角度になるように形成される。そして、円弧状凹部３６ｃには、操作具本体３３の基部３３ａの係止突起３３ｃが回動可能に収容される。このとき、基部３３ａの円形孔３３ｂの孔径は、取付機構３６の円板部３６ｂの直径より僅かに小さく形成される。これにより操作具本体３３を、取付機構３６の円板部３６ｂを中心にスマートフォン１４の裏面に対し平行な面内で回動させるときに、比較的大きな摺動抵抗が発生するので、収納位置にある操作具本体３３が意図せずに突出位置に向って回転しないようになっている。押え板３６ｅは操作具本体３３の基部３３ａの円形凹部３３ｄに収容される。更に、ビス３６ｇは、その雄ねじ部３６ｈが上記雌ねじ部３６ｄに螺合され、その頭部３６ｉが上記座ぐり孔３６ｆに挿入される。そして、係止突起３３ｃが円弧状凹部３６ｃ内を移動できる範囲内で、操作具本体３３が取付機構３６の円板部３６ｂを中心にスマートフォン１４の裏面に対し平行な面内で回動することにより、操作具本体３３が突出位置又は収納位置に切替えられるようになっている。なお、操作具本体３３のうちドア用フック部１３ａと基部３３ａとの間には、第１の実施の形態と同様に、指を挿入可能な指挿入孔１３ｈが形成される。上記以外は第１の実施の形態と同一に構成される。
【００４０】
このように構成された操作具３０では、操作具本体３３でドアの取っ手を引く方向に操作する場合、操作具本体３３でドアの取っ手を押す方向に操作する場合、及び操作具本体３３で操作ボタンを操作する場合に、操作具本体３３を取付機構３６の円板部３６ｂを中心にスマートフォン１４の裏面に対し平行な面内で回転させてスマートフォン１４の裏面から突出する突出位置に切替える。また、操作具本体３３を使用しない場合に、操作具本体３３を取付機構３６の円板部３６ｂを中心にスマートフォン１４の裏面に対し平行な面内で回転させてスマートフォン１４の裏面に沿って収納される収納位置に切替える。上記以外の動作は、第１の実施の形態の動作と略同様であるので、繰返しの説明を省略する。但し、この実施の形態の操作具３０では、操作具本体３３をスマートフォン１４のスタンドとして使用できない。
【００４１】
＜第３の実施の形態＞
図１１〜図１３は本考案の第３の実施の形態を示す。図１１〜図１３において、図１及び図２と同一符号は同一部品を示す。この実施の形態では、操作具本体５３がスマートフォン１４の裏面に取付機構５６を介してスマートフォン１４の裏面に対し平行な面内で直線往復動可能に取付けられる。これにより、操作具本体５３が突出位置と収納位置に切替え可能に構成される。操作具本体５３のドア用フック部１３ａ、突起部１３ｂ及びドア用凹部１３ｃは、第１の実施の形態のと操作具本体のドア用フック部、突起部及びドア用凹部と略同形同大に形成される（図１１及び図１２）。一方、操作具本体５３の基部５３ａはスマートフォン１４の長手方向に延びる帯板状に形成される。また、基部５３ａの両面のうちスマートフォン１４に対向する面には、この基部５３ａの長手方向に所定長だけ延びる凹溝５３ｂが形成される（図１１〜図１３）。更に、基部５３ａの両側面には、基部５３ａの厚さの略半分の厚さを有する一対の突条５３ｃ，５３ｃがスマートフォン１４側に基部５３ａの長手方向に延びて形成される（図１１（ｂ）、図１２（ｂ）及び図１３）。
【００４２】
取付機構５６は、スマートフォン１４の裏面に貼付されたベース部５６ａと、このベース部５６ａの両側縁から突設された一対の基部保持片５６ｂ，５６ｂと、ベース部５６ａに突設されたストッパピン５６ｃとを有する（図１１〜図１３）。ベース部５６ａはスマートフォン１４の裏面に両面粘着シート５７を介して貼付される。また、一対の基部保持片５６ｂ，５６ｂは、操作具本体５３の基部５３ａの両側縁、即ち基部５３ａの両側面に形成された一対の突条５３ｃ，５３ｃを直線往復動可能に保持するように構成される。このとき、操作具本体５３の基部５３ａ及び一対の突条５３ｃ，５３ｃの全幅、即ち一対の突条５３ｃ，５３ｃの幅方向の先端面間の距離は、取付機構５６の一対の基部保持片５６ｂ，５６ｂの内側奧面間の距離より僅かに大きく形成される。これにより操作具本体５３を一対の基部保持片５６ｂ，５６ｂに沿って直線往復動させるときに、比較的大きな摺動抵抗が発生し、操作具本体５３が意図せずに収納位置から突出ないようになっている。更に、ストッパピン５６ｃには、操作具本体５３の基部５３ａの凹溝５３ｂが直線往復動可能に嵌入される。そして、所定長の凹溝５３ｂがストッパピン５６ｃに対して移動できる範囲内で、操作具本体５３が一対の基部保持片５６ｂ，５６ｂに沿って直線往復動することにより、操作具本体５３を突出位置と収納位置に切替えることができるようになっている。上記以外は第１の実施の形態と同一に構成される。
【００４３】
このように構成された操作具５０では、操作具本体５３でドアの取っ手を引く方向に操作する場合、操作具本体５３でドアの取っ手を押す方向に操作する場合、及び操作具本体５３で操作ボタンを操作する場合に、操作具本体５３の基部５３ａを取付機構５６の一対の基部保持片５６ｂ，５６ｂに沿って摺動させて、操作具本体５３をスマートフォン１４の裏面に対し平行な面内で直線移動させることにより、操作具本体５３をスマートフォン１４の裏面から突出する突出位置に切替える。ここで、操作具本体５３でドアの取っ手を引く方向に操作したり、或いは操作具本体５３でドアの取っ手を押す方向に操作しても、取付機構５６の比較的広い面積を有するベース部の全面が両面粘着シート５７を介してスマートフォン１４の裏面に貼付されているので、取付機構５６のベース部５６ａがスマートフォン１４の裏面から剥がれることはない。この結果、ドアの取っ手に付着した感染症のウィルスが操作者自身の手に付着することがなく、操作者が感染症にかかるおそれはない。また、操作具本体５３を使用しない場合に、操作具本体５３の基部５３ａを取付機構５６の一対の基部保持片５６ｂ，５６ｂに沿って摺動させて、操作具本体５３をスマートフォン１４の裏面に対し平行な面内で直線移動させることにより、操作具本体５３をスマートフォン１４の裏面に沿って収納される収納位置に切替える。上記以外の動作は、第１の実施の形態の動作と略同様であるので、繰返しの説明を省略する。但し、この実施の形態の操作具５０では、操作具本体５３をスマートフォン１４のスタンドとして使用できない。
【００４４】
＜第４の実施の形態＞
図１４及び図１５は本考案の第４の実施の形態を示す。図１４において図１と同一符号は同一部品を示す。この実施の形態では、操作具本体７３が樹脂製の板により形成され、突起部７３ａが導電性を有するキャップ状に形成され、この突起部７３ａが操作具本体７３の先端部に取付けられる。具体的には、図１５に詳しく示すように、樹脂製の板状の操作具本体７３の直線板部１３ｅの先端にボス部７３ｂが突設される。また、導電性を有する突起部７３ａは、導電性粉末又は導電性繊維が分散されたゴム、導電性粉末又は導電性繊維が分散されたプラスチック、金属等によりキャップ状に形成される。更に、このキャップ状の突起部７３ａは上記ボス部７３ｂに嵌着される。上記以外は第１の実施の形態と同一に構成される。
【００４５】
このように構成された操作具７０では、導電性を有するキャップ状の突起部７３ａをタッチパネル式のＡＴＭ（現金自動預け払い機）や各種販売機等のタッチパネル式の操作ボタンに接触させることにより、この操作ボタンを操作できる。この結果、タッチパネル式の操作ボタンに手を触れずに操作ボタンを操作できるので、操作ボタンに付着した感染症のウィルスが操作者自身の手に付着することがなく、操作者が感染症にかかるおそれはない。上記以外の動作は、第１の実施の形態の動作と略同様であるので、繰返しの説明を省略する。
【００４６】
なお、上記第１〜第４の実施の形態では、操作具本体を樹脂により形成したが、操作具本体を銅、銅合金、アルミニウム、アルミ合金等の金属板により形成してもよい。銅や銅合金には殺菌効果があるので、操作具本体を銅又は銅合金により形成することが好ましい。また、上記第１〜第４の実施の形態では、操作具本体の突起部で操作ボタンを操作したが、操作具本体の突起部でスイッチ類を操作してもよい。
【符号の説明】
【００４７】
１０，３０，５０，７０  操作具
１１  ドア
１１ａ，１１ｂ  取っ手
１２  操作ボタン
１３，３３，５３，７３  操作具本体
１３ａ  ドア用フック部
１３ｂ，３３ａ，７３ａ  突起部
１３ｃ  ドア用凹部
１３ｄ，３３ａ，５３ａ  基部
１３ｈ  指挿入孔
１４  スマートフォン
１６，３６，５６  取付機構
１６ａ，３６ａ，５６ａ  ベース部
１６ｂ  起立片
１６ｃ  ピン軸
１６ｅ  台状部
１６ｆ  係止片
１８  指
３３ｂ  円形孔
３３ｃ  係止突起
３３ｄ  円形凹部
３６ｂ  円板部
３６ｃ  円弧状凹部
３６ｄ  雌ねじ部
３６ｅ  押え板
３６ｆ  座ぐり孔
３６ｇ  ビス
３６ｈ  雄ねじ部
３６ｉ  頭部
５３ｂ  凹溝
５６ｂ  基部保持片
５６ｃ  ストッパピン
【図１】
0003227521.tif 000003
【図２】
0003227521.tif 000004
【図３】
0003227521.tif 000005
【図４】
0003227521.tif 000006
【図５】
0003227521.tif 000007
【図６】
0003227521.tif 000008
【図７】
0003227521.tif 000009
【図８】
0003227521.tif 000010
【図９】
0003227521.tif 000011
【図１０】
0003227521.tif 000012
【図１１】
0003227521.tif 000013
【図１２】
0003227521.tif 000014
【図１３】
0003227521.tif 000015
【図１４】
0003227521.tif 000016
【図１５】
0003227521.tif 000017